(57)【要約】【課題】主に各種電子機器の操作に用いられるリモコン送信機に関し、簡易な構成で、扉体の開閉操作に伴う打音が生じ難く、動作の確実なものを提供することを目的とする。【解決手段】上ケース１に開閉可能に装着された扉体５内に収納された押釦体６とその下面を覆う、カバー１７の上面に押圧部１７Ｂを設けると共に、この押圧部１７Ｂを押釦体６のアーム部６Ｂに弾接させることによって、アーム部６Ｂに連結された押釦部６Ｃが扉体５の開方向に確実に付勢され、扉体５を閉状態から開き始めた時や、扉体が開き切った時に、押釦部６Ｃの外周縁部６Ｅが開口部５Ａの周端部５Ｄから離間し難いため、押釦部６Ｃと開口部５Ａとの打音が生じ難く、動作の確実なリモコン送信機を得ることができる。【選択図】図１
2010136053.tif 000002
【特許請求の範囲】
【請求項１】
略箱型のケースと、このケース上面に突出した操作体の操作によって電気的接離を行うスイッチ接点と、前記ケースに開閉可能に装着され前記操作体を覆うと共に上面に開口部を設けた扉体と、押釦部が弾性変形可能なアーム部によって基部に連結されると共に、前記押釦部が前記扉体の開口部から上方に上下動可能に突出するように前記扉体内に収納された押釦体と、この押釦体の下面を覆うカバーと、前記スイッチ接点の電気的接離に応じて、送信手段からリモコン信号を送信する制御手段からなり、前記押釦体のアーム部に弾接する押圧部を前記カバーの上面に設けたリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高機能化が進むなか、これらを遠隔操作するリモコン送信機においても、扉体等の開閉や移動によって操作機能を増やし、多様な操作を行えるものが増えている。
【０００３】
このような従来のリモコン送信機について、図４〜図７を用いて説明する。
【０００４】
図５は従来のリモコン送信機の断面図、図６は同分解斜視図であり、同図において、１は略箱型で絶縁樹脂製の上ケース、２はゴム等の操作体で、操作体２には下方の略ドーム状の薄肉部によって、連結形成された複数の操作部２Ａや２Ｂが設けられると共に、この複数の操作部２Ａ、２Ｂ上面が、上ケース１上面の複数の開口孔から上下動可能に突出している。
【０００５】
そして、３は上下面に複数の配線パターン（図示せず）が形成された配線基板で、この上面に操作体２が載置されると共に、配線基板３上面にはカーボン等の複数の固定接点（図示せず）が設けられ、この固定接点が操作部２Ａ、２Ｂ下面に各々形成されたカーボン等の可動接点（図示せず）と、所定の間隙を空けて対向して複数のスイッチ接点４Ａ、４Ｂが形成されている。
【０００６】
また、５は絶縁樹脂製の扉体、６は絶縁樹脂製の押釦体で、複数の押釦部６Ｃが一対の略Ｌ字状のアーム部６Ｂによって略枠状の基部６Ａの側面に連結されると共に、押釦部６Ｃの上面が扉体５上面の開口部５Ａから上下動可能に突出している。
【０００７】
さらに、７は略平板状で絶縁樹脂製のカバーで、押釦体６が収納された扉体５下面を覆うと共に、複数の押釦部６Ｃ下面の押部６Ｄがカバー７の複数の開口孔７Ａから各々突出している。
【０００８】
そして、扉体５が左端部に形成された軸孔部５Ｂを支点として、上ケース１に対して開閉可能に装着されると共に、扉体５前面の係止部５Ｃが対応する上ケース１の係合部１Ａに係止されて、扉体５が上ケース１に閉じた状態で保持されている。
【０００９】
また、このように扉体５が閉じて、操作体２の操作部２Ａ上面を覆った状態では、複数の押釦部６Ｃの押部６Ｄが複数の操作部２Ａ上面に各々当接している。
【００１０】
さらに、配線基板３上下面には、発光ダイオード等のリモコン信号を送信する送信手段８や、配線パターンを介して送信手段８、複数のスイッチ接点４Ａ、４Ｂ等に接続されたマイコン等の制御手段９が形成されると共に、上ケース１下面を絶縁樹脂製の下ケース１０が覆って、リモコン送信機が構成されている。
【００１１】
なお、扉体５上面から突出した複数の押釦部６Ｃは電子機器の、例えば機器がエアコンであった場合、電源の入／切、或いは温度の増減等の、通常頻繁に使用されるものに用いられ、この下方の上ケース１上面から突出した複数の操作部２Ａは、風量や風向の切換え等の、比較的使用頻度の少ないものに用いられる。
【００１２】
以上の構成において、図４（ａ）の斜視図や図５に示すように、扉体５が閉じた状態で、扉体５上面から突出した所定の押釦部６Ｃを押圧操作すると、基部６Ａとの連結根元を中心にアーム部６Ｂが弾性変形しながら下方へ撓むと共に、押釦部６Ｃが下方へ移動し、押釦部６Ｃ下面の押部６Ｄがこの下方の操作部２Ａを押圧する。
【００１３】
そして、この操作部２Ａが下方へ移動し、この下面の可動接点が複数の固定接点と接触して、スイッチ接点４Ａの電気的接離が行われ、この電気的接離に応じて制御手段９が、送信手段８から赤外線のリモコン信号を電子機器へ送信し、例えば、エアコンの電源の入／切が遠隔操作によって行われる。
【００１４】
また、扉体５をその軸孔部５Ｂを支点として開くと、扉体５前面の係止部５Ｃと上ケース１の係合部１Ａとの係止が外れて、図７（ａ）の断面図に示すように、扉体５が上ケース１の上面から反時計方向へ回動すると共に、アーム部６Ｂに連結支持された押釦部６Ｃの押部６Ｄが下方の操作部２Ａから離れ、さらに、扉体５を反時計方向へ回動して開くと、図４（ｂ）に示すように、扉体５が上ケース１上面に対し約１８０度開いた状態となる。
【００１５】
なお、扉体５を開き始めた時や、扉体５が開き切った時に、例えば、図７（ｂ）に示すように、扉体５を開く際の勢いや、開き切った際の衝撃などにより、先端に押釦部６Ｃが連結されたアーム部６Ｂが閉方向へ弾性変形して撓み、押釦部６Ｃの外周縁部６Ｅが扉体５の開口部５Ａ内周下端の周端部５Ｄに対し隙間が生じた後、これらが再び当接することを繰り返すことによって、外周縁部６Ｅと周端部５Ｄとの打音、所謂カタカタ音が発生する場合があった。
【００１６】
そして、図４（ｂ）に示すように、扉体５が開いた状態で、上ケース１上面から突出した所定の操作部２Ａを押圧操作すると、操作部２Ａが下方へ移動し、この下面の可動接点が複数の固定接点と接触して、スイッチ接点４Ａの電気的接離が行われる。
【００１７】
また、この電気的接離に応じて制御手段９が送信手段８からリモコン信号を送信するが、この時、扉体５と配線基板３の間に別途設けられた検知スイッチ１１等によって、扉体５が開いた状態であることを制御手段９が検出し、上記の押釦部６Ｃを介して押圧操作した場合とは異なるリモコン信号を電子機器へ送信して、例えば、風量や風向の切換え等が遠隔操作によって行われるようにして、機器のより多様な操作が可能なように構成されているものであった。
【００１８】
なお、この出願の発明に関連する先行技術文献情報としては、例えば、特許文献１が知られている。
【特許文献１】特開２００７−５３５１７号公報
【発明の開示】
【発明が解決しようとする課題】
【００１９】
しかしながら、上記従来のリモコン送信機においては、扉体５を閉状態から開き始めた時や、扉体５を開き切った時に、操作部２Ａから押釦部６Ｃの押部６Ｄが離れ、先端に押釦部６Ｃを連結したアーム部６Ｂが扉体５の閉方向へ弾性変形して撓み、押釦部６Ｃの外周縁部６Ｅと開口部５Ａの周端部５Ｃとの接離を繰り返すことによって、カタカタ音等の打音が生じ易いという課題があった。
【００２０】
本発明は、このような従来の課題を解決するものであり、簡易な構成で、扉体の開閉操作に伴う打音が生じ難く、動作の確実なリモコン送信機を提供することを目的とする。
【課題を解決するための手段】
【００２１】
上記目的を達成するために本発明は、上ケースに開閉可能に装着された扉体内に収納された押釦体の下面を覆う、カバーの上面に押圧部を設けると共に、この押圧部を押釦体のアーム部に弾接させて、リモコン送信機を構成したものであり、押圧部を押釦体のアーム部に弾接させることにより、アーム部を介して押釦部が扉体の開方向へ確実に付勢され、扉体を閉状態から開き始めた時や、扉体が開き切った時に、押釦部が上ケースの開口部から離間し難いため、押釦部と開口部との打音が生じ難く、動作の確実なリモコン送信機を得ることができるという作用を有するものである。
【発明の効果】
【００２２】
以上のように本発明によれば、簡易な構成で、扉体の開閉操作に伴う打音が生じ難く、動作の確実なリモコン送信機を実現できるという有利な効果が得られる。
【発明を実施するための最良の形態】
【００２３】
以下、本発明の実施の形態について、図１〜図４を用いて説明する。
【００２４】
なお、背景技術の項で説明した構成と同一構成の部分には同一符号を付して、詳細な説明を簡略化する。
【００２５】
（実施の形態）
図１は本発明の一実施の形態によるリモコン送信機の断面図、図２は同分解斜視図であり、同図において、１は略箱型でポリスチレンやＡＢＳ等の絶縁樹脂製の上ケース、２はシリコンゴムやエラストマー等の操作体で、操作体２には下方の略ドーム状の薄肉部によって、連結形成された複数の操作部２Ａや２Ｂが設けられると共に、この複数の操作部２Ａ、２Ｂ上面が、上ケース１上面の複数の開口孔から上下動可能に各々突出している。
【００２６】
そして、３は紙フェノールやガラス入りエポキシ等の配線基板で、上下面に銅箔等によって複数の配線パターン（図示せず）が形成され、この上面に操作体２が載置されると共に、配線基板３上面にはカーボン等の複数の固定接点（図示せず）が設けられ、この固定接点が各操作部２Ａ、２Ｂ下面に形成されたカーボン等の可動接点（図示せず）と、所定の間隙を空けて対向して複数のスイッチ接点４Ａ、４Ｂが形成されている。
【００２７】
また、５はＡＢＳ等の絶縁樹脂製の扉体、６は同じくＡＢＳ等の絶縁樹脂製の押釦体で、複数の押釦部６Ｃの左右の両側面が一対の略Ｌ字状のアーム部６Ｂによって略枠状の基部６Ａの側面に各々連結されている。
【００２８】
さらに、押釦部６Ｃは開口部５Ａ内周の下部に突出した略筒状の周端部５Ｄにガイドされ、押釦部６Ｃの上面が扉体５上面の複数の開口部５Ａから上下動可能に突出している。
【００２９】
そして、１７は略平板状でＡＢＳやポリスチレン等の絶縁樹脂製のカバーで、押釦体６が収納された扉体５下面を覆い、ビス等によって扉体５に固定されると共に、複数の押釦部６Ｃ下面の押部６Ｄがカバー１７の複数の開口孔１７Ａから各々突出している。
【００３０】
また、カバー１７上面には複数の押圧部１７Ｂが突出形成され、この押圧部１７Ｂが上方のアーム部６Ｂの中間より基部６Ａ側の所定位置を各々押圧して弾接し、押釦部６Ｃを上方へ付勢している。
【００３１】
さらに、扉体５が左端部に形成された軸孔部５Ｂを支点として、上ケース１に対して開閉可能に装着されると共に、扉体５前面の係止部５Ｃが対応する上ケース１の係合部１Ａに係止されて、扉体５が上ケース１に閉じた状態で保持されている。
【００３２】
また、このように扉体５が閉じて、操作体２の操作部２Ａ上面を覆った状態では、複数の押釦部６Ｃの押部６Ｄが複数の操作部２Ａ上面に各々当接している。
【００３３】
そして、配線基板３上下面には、発光ダイオード等のリモコン信号を送信する送信手段８や、配線パターンを介して送信手段８、複数のスイッチ接点４Ａ、４Ｂ等に接続されたマイコン等の制御手段９が形成されると共に、上ケース１下面をポリスチレンやＡＢＳ等の絶縁樹脂製の下ケース１０が覆って、リモコン送信機が構成されている。
【００３４】
なお、扉体５上面から突出した複数の押釦部６Ｃは電子機器の、例えば機器がエアコンであった場合、電源の入／切、或いは温度の増減等の、通常頻繁に使用されるものに用いられ、この下方の上ケース１上面から突出した複数の操作部２Ａは、風量や風向の切換え等の、比較的使用頻度の少ないものに用いられる。
【００３５】
以上の構成において、図１や図４（ａ）の斜視図に示すように、扉体５が閉じた状態で、扉体５上面から突出した所定の押釦部６Ｃを押圧操作すると、略Ｌ字状の一対のアーム部６Ｂが、カバー１７の押圧部１７Ｂとの弾接位置の右側が下方へ弾性変形しながら撓むと共に、押釦部６Ｃが下方へ移動し、押部６Ｄがこの下方の操作部２Ａを押圧する。
【００３６】
そして、この操作部２Ａが下方へ移動し、この下面の可動接点が複数の固定接点と接触して、スイッチ接点４Ａの電気的接離が行われ、この電気的接離に応じて制御手段９が、送信手段８から赤外線のリモコン信号を電子機器へ送信し、例えば、エアコンの電源の入／切が遠隔操作によって行われる。
【００３７】
また、所定の操作部２Ｂを押圧操作すると、操作部２Ｂを介し直接下方のスイッチ接点４Ｂの電気的接離が行われ、この電気的接離に応じて、例えば、暖房や冷房、または除湿の内の暖房が選択、送信されて、エアコンが遠隔操作され暖房に設定される。
【００３８】
そして、扉体５を軸孔部５Ｂを支点として開くと、扉体５前面の係止部５Ｃと上ケース１の係合部１Ａとの係止が外れて、図３の断面図に示すように、扉体５が上ケース１の上面から反時計方向へ回動すると共に、アーム部６Ｂに連結支持された押釦部６Ｃの押部６Ｄが下方の操作部２Ａから離れ、さらに、扉体５を反時計方向へ回動して開くと、図４（ｂ）に示すように、扉体５が上ケース１上面に対し約１８０度開いた状態となる。
【００３９】
なお、扉体５を開き始めた時や、扉体５が開き切った時に、扉体５を開く際の勢いや、開き切った際の衝撃などにより、押釦部６Ｃに連結されたアーム部６Ｂが扉体５の閉方向へ撓もうとするが、アーム部６Ｂはカバー１７上面に突出した押圧部１７Ｂによって押圧されて弾接し、上方向、すなわち扉体５の開方向へ付勢された状態で、保持されているため、押釦部６Ｃの外周縁部６Ｅが開口部５Ａの周端部５Ｄに対し確実に弾接し、これらの間で打音が生じ難くなっている。
【００４０】
つまり、アーム部６Ｂが押圧部１７Ｂにより押圧されていることにより、扉体５が閉状態で押釦部６Ｃを押圧操作し、操作部２Ａを介してスイッチ接点４Ａの電気的接離を行う時には、アーム部６Ｂは押圧部１７Ｂとの弾接位置から押釦部６Ｃ側間のスパンによって撓み、押釦部６Ｃの上下動が確実に行われ、また、押釦部６Ｃが操作部２Ａから離れた開状態では、押圧部１７Ｂによりアーム部６Ｂを介して押釦部６Ｃが上方へ付勢されて、扉体５の開閉に伴う勢いや衝撃により押釦部６Ｃの外周縁部６Ｅが開口部５Ａの周端部５Ｄから離間することがないため、これらの間で打音が生じ難くなっている。
【００４１】
そして、図４（ｂ）に示すように、扉体５が開いた状態で、上ケース１上面から突出した所定の操作部２Ａを押圧操作すると、操作部２Ａが下方へ移動し、この下面の可動接点が複数の固定接点と接触して、スイッチ接点４Ａの電気的接離が行われる。
【００４２】
また、この電気的接離に応じて制御手段９が送信手段８からリモコン信号を送信するが、この時、扉体５と配線基板３の間に別途設けられた検知スイッチ１１等によって、扉体５が開いた状態であることを制御手段９が検出し、上記の押釦部６Ｃを介して押圧操作した場合とは異なるリモコン信号を電子機器へ送信して、例えば、風量や風向の切換え等が遠隔操作によって行われる。
【００４３】
つまり、制御手段９が検知スイッチ１１等によって扉体５の開閉状態を検出し、押釦部６Ｃと操作部２Ａのどちらが操作されたかを判別して、扉体５が開いて操作部２Ａを直接押圧操作した場合と、扉体５が閉じて押釦部６Ｃを介して押圧操作した場合とでは、異なるリモコン信号を送信することによって、遠隔操作する機能を増やし、より多様な操作が可能なように構成されている。
【００４４】
このように本実施の形態によれば、上ケース１に開閉可能に装着された扉体５内に収納された押釦体６の下面を覆う、カバー１７の上面に押圧部１７Ｂを設けると共に、この押圧部１７Ｂを押釦体６のアーム部６Ｂに弾接させることによって、アーム部６Ｂに連結された押釦部６Ｃが扉体５の開方向に確実に付勢され、扉体５を閉状態から開き始めた時や、扉体が開き切った時に、押釦部６Ｃの外周縁部６Ｅが開口部５Ａの周端部５Ｄから離間し難いため、押釦部６Ｃと開口部５Ａとの打音が生じ難く、動作の確実なリモコン送信機を得ることができるものである。
【００４５】
なお、以上の説明では、配線基板３上面の複数の固定接点と、この上面に載置された操作体２の操作部２Ａ、２Ｂ下面の可動接点によって、複数のスイッチ接点４Ａ、４Ｂを形成した構成について説明したが、配線基板３上面の固定接点上に、略ドーム状で導電金属薄板製の可動接点を載置したものや、或いは配線基板３上に、複数の個別のプッシュスイッチを実装したもの等、様々なスイッチ接点を用いた構成においても、本発明の実施は可能である。
【産業上の利用可能性】
【００４６】
本発明によるリモコン送信機は、簡易な構成で、扉体の開閉操作に伴う打音が生じ難く、動作の確実なものが得られ、主に各種電子機器の操作用として有用である。
【図面の簡単な説明】
【００４７】
【図１】本発明の一実施の形態によるリモコン送信機の断面図
【図２】同分解斜視図
【図３】同開いた時の断面図
【図４】同斜視図
【図５】従来のリモコン送信機の断面図
【図６】同分解斜視図
【図７】同開いた時の断面図
【符号の説明】
【００４８】
１  上ケース
２  操作体
２Ａ、２Ｂ  操作部
３  配線基板
４Ａ、４Ｂ  スイッチ接点
５  扉体
５Ａ  開口部
５Ｂ  軸孔部
５Ｃ  係止部
５Ｄ  周端部
６  押釦体
６Ａ  基部
６Ｂ  アーム部
６Ｃ  押釦部
６Ｄ  押部
６Ｅ  外周縁部
８  送信手段
９  制御手段
１０  下ケース
１１  検知スイッチ
１７  カバー
１７Ａ  開口孔
１７Ｂ  押圧部
【図１】
2010136053.tif 000003
【図２】
2010136053.tif 000004
【図３】
2010136053.tif 000005
【図４】
2010136053.tif 000006
【図５】
2010136053.tif 000007
【図６】
2010136053.tif 000008
【図７】
2010136053.tif 000009